(57)【要約】【課題】金型１の自重、開閉駆動装置３２の出力及びエア吹込ノズル２８ａの押し付け力により、ロッド１９ａ，１９ｂに上向き凸の湾曲変形が発生することを原因として、金型１が下方へ沈み、かつ、前方に傾く。これに起因して、成形品に不良が発生する。【解決手段】移動台３０と一体をなす移動台ベース４３を設け、第１金型部材（２，１７，２１）及び第２金型部材（３，１０）の内の少なくとも一つの下面を、サポート部材４４を介して移動台ベース４３に前後方向の移動自在に支持させ、ロッド１９ａ，１９ｂの上向き凸の変形を抑制させる。【選択図】        図１
2004255598.tif 000002
【特許請求の範囲】
【請求項１】
移動台（３０）と、移動台（３０）に摺動自在に支持されるロッド（１９ａ，１９ｂ）と、ロッド（１９ａ，１９ｂ）の一端部に固設される第１金型部材（２，１７，２１）と、ロッド（１９ａ，１９ｂ）に摺動自在に支持される第２金型部材（３，１０）と、ロッド（１９ａ，１９ｂ）の他端部のリアプレート（１８）と第２金型部材（３，１０）との間に配置される開閉駆動装置（３２）とを備え、第１金型部材（２，１７，２１）及び第２金型部材（３，１０）を型閉じさせてパリソン（６）を保持する中空成形機の型締装置であつて、
移動台（３０）と一体をなす移動台ベース（４３）を設け、第１金型部材（２，１７，２１）及び第２金型部材（３，１０）の内の少なくとも一つの下面を、サポート部（４４）を介して移動台ベース（４３）に前後方向の移動自在に支持させ、ロッド（１９ａ，１９ｂ）の上向き凸の変形を抑制させることを特徴とする中空成形機の型締装置。
【請求項２】
移動台ベース（４３）が固定の架台（４１）に左右方向の移動自在に支持され、移動台ベース（４３）が架台（４１）に対して移動することにより、第１金型部材（２，１７，２１）及び第２金型部材（３，１０）がパリソン（６）の受取位置（Ｉ）とエア吹込位置（ＩＩ）との間で移動することを特徴とする請求項１の中空成形機の型締力装置。
【請求項３】
サポート部（４４）が、車輪によつて形成され、該車輪が移動台ベース（４３）上を転動することを特徴とする請求項１又は２の中空成形機の型締力装置。
【発明の詳細な説明】
【０００１】
【発明の属する技術分野】
本発明は、中空成形機の型締装置に関し、詳しくは金型の傾倒を抑制する中空成形機の型締装置に関するものである。
【０００２】
【従来の技術及びその課題】
従来の中空成形機の型締装置として、例えば特開平１１−４２７０１公報に記載されるものが知られている。これは、図４，図５に示すように移動台３０と、移動台３０に摺動自在に支持されるロッド１９ａ，１９ｂと、ロッド１９ａ，１９ｂの一端部に固設される第１金型部２と、ロッド１９ａ，１９ｂに摺動自在に支持される第２金型部３と、ロッド１９ａ，１９ｂの他端部のリアプレート１８と第２金型部３との間に配置され、収縮状態で第１金型部２及び第２金型部３を型開きし、伸張状態で第１金型部２及び第２金型部３を型閉じさせる開閉駆動装置３２とを備え、第１金型部２及び第２金型部３を型閉じさせてパリソン６を保持する。
【０００３】
実際には、ロッド１９ａ，１９ｂの前端部に接続体２１及び第１金型保持体１７を介して第１金型部２が固設される。また、第２金型部３は、第２金型保持体１０を介してロッド１９ａ，１９ｂに摺動自在に支持される。１ａは、第１金型部２及び第２金型部３によつて区画される金型１のキャビティである。パリソン６は、押出機４のクロスヘッド５から垂下する。２２は、型締装置の全体を左右方向に移動させるためのガイドバーである。
【０００４】
開閉駆動装置３２は、トグル機構９及び電動機１５を有している。トグル機構９は、一対の第１，第２トグル片７，８を支軸１１によつて折曲自在に結合させて構成され、第２金型保持体１０に固設する第１ブラケット７ａに第１トグル片７が揺動自在にピン結合され、リアプレート１８に固設する第２ブラケット８ａに第２トグル片８が揺動自在にピン結合されている。支軸１１はガイドブロック１２に取付けられている。ガイドブロック１２は、図外の一対の中心位置決めガイドバーによつて垂直方向（図４上でＢ方向）に案内され、一対のトグル片７，８を折曲状又は直線状に移動させる。
【０００５】
すなわち、移動台３０に固設した正・逆駆動が可能な電動機１５により、カップリング１５ａを介してボールねじ等の送りねじ１６を正逆に回転させることにより、送りねじ１６に螺合するガイドブロック１２が、移動台３０の支持部３１に固設したガイドバーの中心軸線方向に往復動する。しかして、図４に示すようにトグル片７，８の折曲状つまり収縮状態で第１金型部２及び第２金型部３が型開きし、図５に示すようにトグル片７，８の直線状つまり伸張状態で第１金型部２及び第２金型部３が型閉じする。
【０００６】
第１金型部２及び第２金型部３が型閉じし、金型１がパリソン６を保持した状態で、型締装置の全体をガイドバー２２に案内させながら左右方向に移動させる。これにより、金型１を図６に示すようにエア吹込装置２８の下方へ移動させ、エア吹込ノズル２８ａを金型の上面に押し付け、パリソン６内に空気を吹き込んでブロー成形が行われる。
【０００７】
このブロー成形に際し、金型１が傾く。金型１が傾く原因は次の通りである。先ず、金型１を第２金型保持体１０及び第１金型保持体１７に取付けた際に、金型１の自重がロッド１９ａ，１９ｂに下向きの力となつて作用しロッド１９ａ，１９ｂの前端部が下方向に曲がる。
【０００８】
次に、図５に示すように金型１が型閉じした状態では、第１トグル片７の出力が第２金型保持体１０に作用し、かつ、第２トグル片８の出力がリアプレート１８、ロッド１９ａ，１９ｂ、接続体２１及び第１金型保持体１７に作用し、第２金型保持体１０及び第１金型保持体１７を介して金型１の合わせ面に伝わり、第１金型部２及び第２金型部３の双方を締め付ける。その反力により、ロッド１９ａ，１９ｂが曲がり、かつ、接続体２１及び第２金型保持体１０も若干曲がるので、金型１が前方（図４〜図６上で左方）に傾く。
【０００９】
更に、金型１がパリソン６を保持した後に、図６に示すようにエア吹込装置２８の下方へ移動し、エア吹込ノズル２８ａを金型の上面に押し付けた際にも、ロッド１９ａ，１９ｂに下向きの力が加わる。この３つの力がロッド１９ａ，１９ｂに作用して、ロッド１９ａ，１９ｂが撓み変形する。従つて、金型１が角度θで傾く。
【００１０】
このように、金型１の自重、開閉駆動装置３２の出力及びエア吹込ノズル２８ａの押し付け力により、ロッド１９ａ，１９ｂに上向き凸の湾曲変形が発生することを原因として、金型１が下方へ沈み、かつ、前方に角度θで傾く。これに起因して、エア吹込ノズル２８ａを金型１の上部に挿入して成形する際に、図７に示すようにエア吹込ノズル２８ａのカットリング２８ｂと金型１の上部の口金１ｂとが良好に密着しなくなり隙間Ａが生じるので、成形品の首部に不良が発生する。特に、首部のバリの食切り不良が生じる。
【００１１】
また、成形後に金型１を開き成形品を金型１から取り出す際に、ロッド１９ａ，１９ｂを含む型締装置の曲げ歪が解放されて第１金型部２及び第２金型部３が元の位置に弾性的に戻るので、金型１のキャビティ１ａと成形品との位置ずれが起こり、成形品が変形する。これに伴い、成形品に擦り傷が発生して不良品ができる。特に、成形品の首、肩、底部の擦り傷不良となる。加えて、金型の型開きに際し、成形品の首部に曲がりが生じ易い。
【００１２】
本発明は、ロッドの上向き凸の湾曲変形を抑制させ、ひいては金型の傾倒を抑制させることにより、上記各種の不良品の生じ難い中空成形機の型締装置を提供することを目的としている。
【００１３】
【課題を解決するための手段】
本発明は、このような従来の技術的課題に鑑みてなされたものであり、その構成は次の通りである。
請求項１に係る発明の構成は、移動台３０と、移動台３０に摺動自在に支持されるロッド１９ａ，１９ｂと、ロッド１９ａ，１９ｂの一端部に固設される第１金型部材（２，１７，２１）と、ロッド１９ａ，１９ｂに摺動自在に支持される第２金型部材（３，１０）と、ロッド１９ａ，１９ｂの他端部のリアプレート１８と第２金型部材（３，１０）との間に配置される開閉駆動装置３２とを備え、第１金型部材（２，１７，２１）及び第２金型部材（３，１０）を型閉じさせてパリソン６を保持する中空成形機の型締装置であつて、
移動台３０と一体をなす移動台ベース４３を設け、第１金型部材（２，１７，２１）及び第２金型部材（３，１０）の内の少なくとも一つの下面を、サポート部４４を介して移動台ベース４３に前後方向の移動自在に支持させ、ロッド１９ａ，１９ｂの上向き凸の変形を抑制させることを特徴とする中空成形機の型締装置である。開閉駆動装置３２は、収縮状態で第１金型部材（２，１７，２１）及び第２金型部材（３，１０）を型開きし、伸張状態で第１金型部材（２，１７，２１）及び第２金型部材（３，１０）を型閉じさせる。
請求項２の発明の構成は、移動台ベース４３が固定の架台４１に左右方向の移動自在に支持され、移動台ベース４３が架台４１に対して移動することにより、第１金型部材（２，１７，２１）及び第２金型部材（３，１０）がパリソン６の受取位置Ｉとエア吹込位置ＩＩとの間で移動することを特徴とする請求項１の中空成形機の型締力装置である。
請求項３の発明の構成は、サポート部４４が、車輪によつて形成され、該車輪が移動台ベース４３上を転動することを特徴とする請求項１又は２の中空成形機の型締力装置である。
【００１４】
【発明の実施の形態】
本発明の１実施の形態について図１〜図３を参照して説明する。
金型１は、対をなす第１金型部２及び第２金型部３を有し、金型部２，３が前後（図１，図２上で左右方向）に開閉自在である。この金型１のキャビティ１ａ内には、押出機４のクロスヘッド５から垂下する筒状のパリソン６が供給される。第２金型部３は第２金型保持体１０に固設され、第１金型部２は第１金型保持体１７に固設されている。第２金型保持体１０は、後記するロッド１９ａ，１９ｂに型開閉方向（前後方向）の摺動自在に支持されている。
【００１５】
第１金型部２及び第２金型部３は、開閉駆動装置３２によつて開閉駆動される。開閉駆動装置３２は、ガイドブロック１２を備えるトグル機構９、電動機（図示せず）、送りねじ１６等により構成され、開閉駆動装置３２により、トグル機構９に折曲状態と伸張状態との間での姿勢変化を与え、折曲状で金型１を型開きし、伸張した直線状で金型１を型閉じさせることができる。
【００１６】
第２金型部３は、第２金型保持体１０及び第１ブラケット７ａを介して、トグル機構９の一端部に接続されている。トグル機構９は、一対の第１，第２トグル片７，８を支軸１１によつて折曲自在に結合させて構成され、第１ブラケット７ａに第１トグル片７が揺動自在にピン結合されている。支軸１１はガイドブロック１２に固設されている。ガイドブロック１２は、移動台３０の支持部３１に固設したガイドバーによつて垂直方向（図２上でＢ方向）に案内され、一対のトグル片７，８を折曲状又は直線状に移動させる。すなわち、移動台３０に固設した正・逆駆動が可能な電動機（図示せず）により、ボールねじ等の送りねじ１６を正逆に回転させることにより、送りねじ１６に螺合するガイドブロック１２がＢ方向に往復動する。第２金型部３及び第２金型保持体１０により、第２金型部材を構成している。
【００１７】
トグル機構９の他端部つまり第２トグル片８には、第２ブラケット８ａを介してリアプレート１８が接続される。第２トグル片８は、第２ブラケット８ａに揺動自在にピン結合されている。リアプレート１８には、一対のロッド１９ａ，１９ｂの他端部が接続固着され、各ロッド１９ａ，１９ｂは、その中間部が移動台３０の筒状支持部３０ａ，３０ｂに摺動自在に支持され、その一端部に接続固着した接続体２１に第１金型保持体１７が取付けられている。従つて、リアプレート１８、ロッド１９ａ，１９ｂ、接続体２１、第１金型保持体１７及び第１金型部２は、一体に前後移動する。また、金型１及びトグル機構９は、ロッド１９ａ，１９ｂよりも上方に位置している。第１金型部２、第１金型保持体１７及びロッド１９ａ，１９ｂの前端部を含む接続体２１により、第１金型部材を構成している。以上の構成は、従来の中空成形機の型締装置と実質的に異ならない。
【００１８】
そして、型締装置は、移動台ベース４３を介して架台４１上に移動自在に載置・支持され、移動台ベース４３が固定の架台４１に対して左右方向（図１，図２上で紙面に垂直方向）に移動可能である。移動台ベース４３は、移動台３０に固設され、架台４１上に設けた移動用ガイド４５に案内されるように設置されている。従つて、移動台ベース４３及び移動台３０を含む型締装置は、架台４１上に設置した駆動手段１５０（電動機とボールねじ等）により、図３に示すパリソン６の受取位置Ｉからエア吹込位置ＩＩへ、また、その逆に移動が可能である。架台４１は、型締装置がパリソン６の受取位置Ｉとエア吹込位置ＩＩとの間で移動可能な範囲で形成されている。移動用ガイド４５は、複数箇所に配置され、例えば、レールと噛み合いブロックとで構成することができる。
【００１９】
このような移動台３０と一体をなす移動台ベース４３により、第１金型部材（２，１７，２１）及び第２金型部材（３，１０）の内の少なくとも一つの下面を、サポート部４４を介して前後方向（図１，図２上で左右方向）の移動自在に支持させる。図示の例では、移動台３０の下面に移動台ベース４３を一体に固定し、接続体２１の下面及びリアプレート１８の下面の各々にサポート部４４を設け、接続体２１及びリアプレート１８を、サポート部４４を介して移動台ベース４３に前後方向の移動自在に支持させてある。サポート部４４は、接続体２１及びリアプレート１８の各々に単一又は複数備える滑り軸受若しくはころがり軸受又はレールと噛合ブロック等によつて形成することができ、移動台ベース４３上を摺動若しくは転動又は噛合い移動する。リアプレート１８を移動台ベース４３によつて支持させることにより、ロッド１９ａ，１９ｂの後端部の姿勢ひいては型締装置の姿勢が安定する。
【００２０】
図示の例では、サポート部４４は、接続体２１、リアプレート１８等の下部に回転自在に支持した車輪によつて形成させ、車輪によつて移動台ベース４３上を前後方向に転動させることができる。車輪は、単輪又は複輪のいずれであつてもよい。
【００２１】
これにより、ロッド１９ａ，１９ｂの前端部に作用する金型１の自重、トグル機構９の出力に起因する下方への押圧力及びエア吹込ノズル２８ａの押し付け力の全てが、サポート部４４を介して、移動台３０に固設する堅固な移動台ベース４３によつて支持される。この移動台ベース４３は、型締装置の全体を支持し、固定の架台４１上に左右方向の移動自在に支持されるので、湾曲変形し難い。
【００２２】
４６は調節部であり、車輪等のサポート部４４の高さを調節し、移動台ベース４３の上面との接触不良を防止し、良好な密接状態を与える。調節部４６は、テーパー状をなすスライド板、調節ねじ等によつて形成することができる。
【００２３】
次に、作用について説明する。
電動機（図示せず）を作動させて送りねじ１６を回転駆動させ、ガイドブロック１２をガイドバーに沿わせて移動させることにより、支軸１１によつて押引される各トグル片７，８が図２に示す折曲状又は図１に示す直線状となる。各トグル片７，８が折曲状に縮んで一対の金型部２，３が開となり、金型１のキャビティ１ａ内に、押出機４のクロスヘッド５から垂下する筒状のパリソン６が供給され、また、各トグル片７，８が直線状に伸びて一対の金型部２，３が閉となり、パリソン６が金型１に保持される。
【００２４】
金型１の閉作動の際は、一対の金型部２，３が次第に近づき、トグル機構９が所定の折曲姿勢を採つた状態で金型部２，３同士がタッチし、引き続きトグル機構９が伸張することにより、各トグル片７，８が直線状に伸びて所定の型締力が生じた型閉終了状態となる。金型１の開閉作動の際に、サポート部４４が移動台ベース４３上を摺動又は転動しながら移動する。
【００２５】
所定長さのパリソン６が金型１に保持されたなら、移動用ガイド４５によつて案内させながら、型締装置及び移動台ベース４３を架台４１上で図３上の左から右方向（ＩからＩＩ）に移動させ、図６に示すようにエア吹込装置２８の下方（エア吹込位置ＩＩ）へ移動させる。次いで、エア吹込ノズル２８ａを金型１の上部に挿入し、カットリングを金型１の上面に押し付け、パリソン６内に空気を吹き込んでブロー成形が行われる。ブロー成形が終了したなら、金型１を開き、成形品を取り出した後、型締装置及び移動台ベース４３を架台４１上で図３上の右から左方向（ＩＩからＩ）に移動させ、受取位置Ｉにおいて金型１にパリソン６を受入れさせる。このような動作の繰り返しにより、ブロー成形が連続して行われる。
【００２６】
移動台ベース４３の作用について説明する。先ず、金型１を第２金型保持体１０及び第１金型保持体１７に取付けた際に、金型１の自重がロッド１９ａ，１９ｂに下向きの力となつて作用するが、金型１の自重はサポート部４４を介して移動台ベース４３上に支持されるので、ロッド１９ａ，１９ｂの前端部が下方向に垂れ下がつて曲がる現象が抑制される。これにより、金型１の前方への傾動が抑制される。
【００２７】
次に、図１に示すように金型１が型閉じした型締状態では、トグル片７，８の出力が第２金型保持体１０並びにリアプレート１８、ロッド１９ａ，１９ｂ、接続体２１及び第１金型保持体１７を介して金型１の合わせ面に伝わり、双方の金型部２，３を締め付け、その反力を受けるロッド１９ａ，１９ｂが上方凸に湾曲変形する傾向を呈するが、このロッド１９ａ，１９ｂの曲がりも堅固な移動台３０に固設した堅固な移動台ベース４３によつて抑制される。これにより、金型１の前方への傾動が抑制され、金型１の合わせ面が所定の中心に位置する状態で型閉じする。但し、第１金型保持体１７及び接続体２１並びに第２金型保持体１０は、わずかに変形する。しかしながら、これらは強固な部材の使用により、無視できる歪量となることが知られている。すなわち、最も大きい歪みはロッド１９ａ，１９ｂに生じる。
【００２８】
更に、金型１がパリソン６を保持した後に、エア吹込装置２８の下方（エア吹込位置ＩＩ）へ移動し、エア吹込ノズル２８ａを金型１の上面に押し付けた際にも、図６に示したと同様にロッド１９ａ，１９ｂに下向きの力が加わり、ロッド１９ａ，１９ｂの前端部が下方へ撓む傾向を呈するが、このロッド１９ａ，１９ｂの曲がりも移動台３０に固設した堅固な移動台ベース４３によつて抑制される。これにより、金型１の前方への傾動が抑制される。移動台ベース４３及び移動台３０を含む型締装置の移動は、移動用ガイド４５に案内される。移動用ガイド４５を移動台ベース４３の前後両端部に設ければ、型締装置の支持及び移動が安定する。
【００２９】
このようにして、金型１の自重、開閉駆動装置３２の出力及びエア吹込ノズル２８ａの押し付け力により、ロッド１９ａ，１９ｂの前端部に上向き凸の湾曲変形が発生することを原因として、金型１が下方へ沈み、かつ、前方に傾くことが良好に抑制され、金型１の合わせ面が所定の中心に位置するようになる。これにより、エア吹込ノズル２８ａを金型１の上部に挿入して成形する際に、図７から判るようにエア吹込ノズル２８ａのカットリング２８ｂと金型１上部の口金１ｂとが全周で均一かつ良好に密着するようになり隙間Ａが生じ難くなるので、上バリが良好に切断・分離される。その結果、成形品の首部にバリ食切り不良に基づく不良が発生することが防止される。
【００３０】
更に、型締装置に弾性的曲げ歪がほとんど存在していないので、成形が終了して金型１を開き成形品を金型１から取り出す際に、型締装置が弾性的に復元変形することがほとんどなく、金型１のキャビティ１ａと成形品との位置ずれが生じ難い。このため、成形品の変形に伴う首、肩、底部の擦り傷の発生が防止できる。
【００３１】
このような金型１の前方への沈み込みを伴う傾動の抑制は、型締状態で移動台３０から前方へ突出しているロッド１９ａ，１９ｂの前端部つまり第１金型部２、第１金型保持体１７及び接続体２１の下面を移動台ベース４３によつて支持させることで効果的に得られるが、第２金型部３及び第２金型保持体１０の下面のみを移動台ベース４３によつて支持させても、金型１の前方への傾動の抑制作用が得られる。勿論、両者を移動台ベース４３によつて支持させれば、金型１の前方への傾動の抑制作用が良好に得られる。リアプレート１８の下面を移動台ベース４３によつて支持させれば、型締装置の架台４１への支持が安定する。
【００３２】
ところで、上記実施の形態にあつては、開閉駆動装置がトグル機構９を備えるものとしたが、開閉駆動装置は、リアプレート１８と第２金型部３との間に配置され、収縮状態で第１金型部２及び第２金型部３を型開きし、伸張状態で第１金型部２及び第２金型部３を型閉じさせる機能を有すれば良く、シリンダ装置等の他の駆動装置を備えるものとすることもできる。
【００３３】
【発明の効果】
以上の説明によつて理解されるように、本発明に係る中空成形機の型締装置によれば、次の効果が得られる。
移動台と一体をなす移動台ベースを設け、第１金型部材及び第２金型部材の内の少なくとも一方の下面を、サポート部を介して移動台ベースに前後方向の移動自在に支持させ、ロッドの上向き凸の変形を抑制させた。これにより、金型の前方への傾動が抑制され、金型の合わせ面が所定の中心に位置するように移動することになる。
【００３４】
その結果、エア吹込ノズルの金型への挿入、カットリングの密着に際し、成形品の首部の食切りが良好になされるようになる。また、金型の型開きに際し、成形品の首部の曲がりが生じ難く、かつ、成形品の首、肩、底部等に擦り傷を生ずることも解消する。加えて、金型の底部に刃部を備える場合には、刃部の位置ずれがなく、型閉じに際して行うパリソンの底部のバリの食切りが良好になる。その結果、品質良好な成形品を得ることが可能になる。
【００３５】
請求項２に係る発明によれば、移動台ベースが固定の架台に左右方向の移動自在に支持され、移動台ベースが架台に対して移動する。このように、移動台ベースを固定の架台に支持させれば、移動台ベースの変形を良好に抑制させることができる。その結果、ロッドの上向き凸の変形ひいては金型の前方への傾動を更に良好に抑制させ、品質良好な成形品を得ることができる。
【図面の簡単な説明】
【図１】本発明の１実施の形態に係る中空成形機の型締装置の型閉じ状態を示す側面図。
【図２】同じく型開き状態を示す作用説明図。
【図３】同じく正面図。
【図４】従来の中空成形機の型締装置の型開き状態を示す側面図。
【図５】同じく型閉じ状態を示す側面図。
【図６】同じく型閉じ状態の作用説明図。
【図７】同じく中空成形機の金型へのエア吹込ノズルの挿入状態を示す説明図。
【符号の説明】
１：金型、２：第１金型部（第１金型部材）、３：第２金型部（第２金型部材）、６：パリソン、９：トグル機構、１０：第２金型保持体（第２金型部材）、１７：第１金型保持体（第１金型部材）、１８：リアプレート、１９ａ，１９ｂ：ロッド、２１：接続体（第１金型部材）、３０：移動台、３２：開閉駆動装置、４１：架台、４３：移動台ベース、４４：サポート部、Ｉ：受取位置、ＩＩ：エア吹込位置。
【図１】
2004255598.tif 000003
【図２】
2004255598.tif 000004
【図３】
2004255598.tif 000005
【図４】
2004255598.tif 000006
【図５】
2004255598.tif 000007
【図６】
2004255598.tif 000008
【図７】
2004255598.tif 000009